(57)【要約】【課題】伸縮可能素材により衣服と首輪が一体的に形成され、首に負担がかからない超小型犬等の衣服を提供すること。【解決手段】散歩紐の挿通カン部２３を備えた首輪１８を首根元部の近傍に位置させた超小型犬用衣服１０であって、首開口部２０の近傍には保持輪２７を取り付けて超小型犬にとって着心地の良い衣服とすると共に、全体をニット編みする場合には、首輪１８がゴム編み、挿通カン部２３がくさり編みとこま編みさらには引き抜き編みを加えて編成して十分な強度とする。【選択図】  図１
2011217649.tif 000002
【特許請求の範囲】
【請求項１】
伸縮可能素材で形成され、散歩紐の挿通カン部を備えた首輪を首周りに取り付けたことを特徴とする超小型犬用衣服。
【請求項２】
前記首輪は、前記超小型犬用衣服における首根元部の近傍に位置することを特徴とする請求項１に記載の超小型犬用衣服。
【請求項３】
前記超小型犬用衣服における首開口部の近傍に、弾性素材からなる保持輪を取り付けたことを特徴とする請求項１から請求項２に記載の超小型犬用衣服。
【請求項４】
前記超小型犬用衣服は、２の首輪部材を両側部に有する前身頃を後身頃に縫合した後に、当該首輪部材をそれぞれ後身頃の周部を取り巻くように縫合して形成することを特徴とする請求項１から３に記載の超小型犬用衣服。
【請求項５】
前記超小型犬用衣服は、全体が伸縮可能素材で形成されることを特徴とする請求項１から請求項４に記載の超小型犬用衣服。
【請求項６】
前記超小型犬用衣服は、全体がニット編みで編成されることを特徴とする請求項１から請求項５に記載の超小型犬用衣服。
【請求項７】
前記首輪がゴム編みで編成され、前記挿通カン部がくさり編みとこま編みさらには引き抜き編みを加えて編成されることを特徴とする請求項６に記載の超小型犬用衣服。
【発明の詳細な説明】
【技術分野】
【０００１】
この発明は、例えば、チワワやティーカッププードルの超小型犬に主として使用される首輪付き衣服に関する。
【背景技術】
【０００２】
近年のペットブームにより、多くの人々が愛玩犬を飼育するようになり、我が国の住宅事情も相俟って、家の中で飼育できる小型犬、とりわけ超小型犬の人気が高まっている。
【０００３】
また、愛玩犬は家族同様に扱われることが多く、愛玩犬にも衣服を着せ、一緒に散歩することは、飼い主にとって大きな楽しみである。
【０００４】
ここで、従来から愛玩犬用の衣服は種々存在したが、通常の織布、防水布等の素材を裁断して縫製されたものがほとんどであり、伸縮性に欠け、通常の犬にとっても着せ難くかつ着心地が悪いものであるから、超小型犬にはその大きさや体力を考慮すればさらに負担となる可能性がある。
【０００５】
くわえて、愛玩犬を安全に散歩させる場合には、首輪を取付けかつ紐につなぐ必要があるが、通常の首輪を、例えば、ワクチンが済んだばかりの小型犬（一般にパピーと呼ばれる。）に取付けて散歩紐で引っ張ることは、成長期にあるひ弱な身体に極めて好ましくないことは明らかである。
【特許文献１】特開２００６−１８０７２２号公報
【発明の開示】
【発明が解決しようとする課題】
【０００６】
上記の不適切な状況を考慮したこの本発明は、身体にやさしい伸縮可能素材で、首周りに首輪を一体的に形成した超小型犬用衣服を提供することを課題とする。
【課題を解決するための手段】
【０００７】
上記課題を解決するために請求項１に記載された発明は、伸縮可能素材で形成され、散歩紐の挿通カン部を備えた首輪を首周りに取り付けた超小型犬用衣服であることを特徴とする。請求項２に記載された発明は、請求項１に記載の超小型犬用衣服において、前記首輪は、前記超小型犬用衣服における首根元部の近傍に位置することを特徴とする。また、この発明では、超小型犬用衣服における首開口部の近傍に、弾性素材からなる保持輪を取り付けることが好ましい。
【０００８】
請求項４に記載された発明は、請求項１から３に記載の超小型犬用衣服において、前記超小型犬用衣服は、２の首輪部材を両側部に有する前身頃を後身頃に縫合した後に、当該首輪部材をそれぞれ後身頃の周部を取り巻くように縫合して形成することを特徴とする。また、この発明は、前記超小型犬用衣服を、全体が伸縮可能素材で形成されることもでき、全体がニット編みで編成されることもできる。その場合には、前記首輪がゴム編みで編成され、前記挿通カン部がくさり編みとこま編みさらには引き抜き編みを加えて編成されることが好ましい。
【発明の効果】
【０００９】
本発明に係る超小型犬用衣服よれば、首輪と衣服が伸縮可能素材で形成され、かつ散歩紐が首根元部の近傍に接続されるので、超小型犬の首には負担がかからない。また、着せ易く、ひ弱な首にもやさしく首輪がフィットし、超小型犬にとって極めて着心地の良いものとなる。さらに、全体をニット編みで編成すれば、可愛らしいデザインを具現し、見栄えの良い超小型犬用衣服を提供できる。
【発明を実施するための最良の形態】
【００１０】
以下、本発明の好ましい実施形態を図面により詳細に説明する。図１において、（ａ）は、本発明に係る第１超小型犬用衣服を示す平面図、（ｂ）は、その底面図である。図２において、（ａ）は、第１超小型犬用衣服の通常の着用状態を示す説明図、（ｂ）は、第１超小型犬用衣服に散歩紐を取り付けた時の着用状態を示す説明図である。図３において、（ａ）は、第１超小型犬用衣服の分解状態を示す説明図、（ｂ）は、その縫合状態を示す説明図である。
【００１１】
第１超小型犬用衣服１０は、超小型犬の中でも成長期にある子犬、幼犬（極めてひ弱な身体）に適したもので、例えば、全体をニット編みで編成した布地からなり、両側に首輪１８（首輪部材１８ａ、１８ｂ）を有する前身頃１２と後身頃１４を縫合して形成される略釣鐘形状の袋体である。縫合された状態の第１超小型犬用衣服１０は、長手方向の上方には超小型犬の首が挿通される首開口部２０と、中央には胴包部２２と、下方には胴開口部２４を形成する。
【００１２】
首開口部２０は、第１超小型犬用衣服１０が徐々に先細となり先端に形成されるが、さらにその周部には、例えば、ニットを花弁状に編み上げたことによる首襟部２１が形成され、超小型犬の首を挿通する際の案内の役割を果たすと共に、首開口部２０を首にやさしくフィットさせることができ、装飾的にも美しいものである。
【００１３】
胴包部２２は、長手方向に捉えてほぼ同一寸法であるが、予め超小型犬の胴回りよりもある程度余裕をもった内径として、着用中の超小型犬の胴部に軽くフィットさせることができる。また、前身頃１２と後身頃１４の両側の一部を縫合しないことで、胴包部２２（着用した際の腹部）には超小型犬の前足を挿通する足穴部２６を形成できる。
【００１４】
胴開口部２４は、末広がりであり、後身頃１４の下方には、例えば、ニットを波型状に編み上げたことによるスカート部２５が取り付けられ、前身頃１２よりやや長寸となることで、着用中の小型犬の背部を保護する役割を果たすと共に、装飾的なデザインを形成する。
【００１５】
首輪１８は、帯状の２の首輪部材１８ａ及び１８ｂを両側部に有する前身頃１２を後身頃１４と縫合した後に、それぞれ後身頃１４を両側から取り巻くように、後身頃１４の周部に取り付けて形成されるもので、首開口部２０よりやや後方の位置、第１超小型犬用衣服１０を着用した超小型犬の首根元部の近傍に位置される。首輪１８をニット編みで編成する場合には、ゴム編みを採用することで、超小型犬の首をやさしくかつ確実に保持することができる。
【００１６】
保持輪２７は、首開口部２０の近傍に、例えば、ゴムシャーリング等の弾性素材で形成される輪状の紐体で、第１超小型犬用衣服１０をニット編みで編成する場合には、首襟部２１の網目に交差状に挿通して取り付けられるもので、その内径を首開口部２０の内径よりやや狭小とすることで、首開口部２０を超小型犬の首に確実に保持する補強的役割を果たす。
【００１７】
挿通カン部２３は、首輪部材１８ａ及び１８ｂの先端に取り付けられる輪体２３ａ及び２３ｂで、首輪１８が第１超小型犬用衣服１０に取り付けられた場合には立ち上がる状態となり、散歩紐３０の先端に取り付けられる金属製の輪カンを接続し、散歩紐３０を連結することができる。挿通カン部２３を、例えば、ニット編みで編成する場合には、首輪１８の先端を輪状に編成し、くさり編みとこま編みさらには引き抜き編みを加えることで、超小型犬の張力に対し十分な強度を備えることができる。
【００１８】
着脱部２９は、２の挿通カン部２３の略中間位置に、例えば、ニット編みで編成する場合には、花びら形状の塊を形成するもので、挿通カン部２３に散歩紐３０を連結しない場合には、挿通カン部２３を折り畳んで引っ掛ければ、超小型犬の動作に邪魔とならない。
【００１９】
第１超小型犬用衣服１０を使用するには、胴開口部２４より超小型犬の頭から被せて、頭を首開口部２０より露出させ、そのまま引っ張って、胴包部２２で胴部を包み、前足を足穴部２６から出せば良い。第１超小型犬用衣服１０は伸縮性に富むので、超小型犬の身体にやさしくフィットし、首輪１８は超小型犬の首を適度に保持する。
【００２０】
そして、室内で超小型犬を遊ばせる場合は、挿通カン部２３を着脱部２９に装着すれば、超小型犬の活動に邪魔にならない。散歩時には外して、立ち上がった挿通カン部２３に散歩紐３０を通し、超小型犬を散歩紐３０でつないで外出できる。
【００２１】
散歩紐３０により超小型犬を引っ張っても、首輪１８には弾力性があるので全体的に張力が分散され、超小型犬の首への負担は軽減される。また、首輪１８は、首根元部の近傍に位置するため、例えば、超小型犬が地面に落ちている食物を食べてようとした等、緊急に散歩紐３０を上方に引っ張った場合であっても、首に曲げようとする強い力がかかることはなく、極めて幼い超小型犬の首にも安全である。
【００２２】
図４において、（ａ）は、本発明に係る第２超小型犬用衣服を示す平面図、（ｂ）は、その底面図である。
【００２３】
第２超小型犬用衣服４０は、超小型犬だけではなく、躾がされた小型犬（例：気管が弱い等で通常の首輪だと喉への負担がかかる犬）にも着用できるようにしたもので、例えば、全体をニット糸で編み上げた略釣鐘形状の袋体からなる。第２超小型犬用衣服４０は、長手方向の上方には超小型犬の首が挿通される首開口部５０と、中央には胴包部５２と、下方には胴開口部５４を形成する。
【００２４】
首開口部５０は、第２超小型犬用衣服４０が徐々に先細となりつつ先端に形成されるが、さらにその周部には、例えば、ニットを花弁状に編み上げたことによる首襟部５１が形成され、超小型犬の首を挿通する際の案内の役割を果たすと共に、首開口部５０を首にやさしくフィットさせることができ、装飾的にも美しいものである。
【００２５】
胴包部５２は、長手方向ではほぼ同一寸法であるが、予め超小型犬の胴回りよりもある程度余裕をもった内径として、着用中の超小型犬の胴部に軽くフィットさせることができる。また、胴包部５２（犬が着用した場合の腹部）には超小型犬の前足を挿通する足穴部５６が形成される。
【００２６】
胴開口部５４は、末広がりであり、後方（犬が着用した場合の背方向）には、例えば、ニットを波型状に編み上げたことによるスカート部５５が取り付けられ、前方よりやや長寸となることで、着用中の超小型犬の背部を保護する役割を果たすと共に、装飾的なデザインを形成する。
【００２７】
首輪４８は、第２超小型犬用衣服４０を着用した超小型犬の首根元部の近傍の位置に、帯状の１の首輪部材を縫合して取り付けられる。首輪４８をニット編みで編成する場合には、ゴム編みを採用することで、超小型犬の首をやさしくかつ確実に保持することができる。
【００２８】
挿通カン部４３は、首輪４８の両端に取り付けられる輪体で、通常の丸形状よりも強度を有するD形状を採用している。首輪４８が第２超小型犬用衣服４０に取り付けられた場合には立ち上がる状態となり、散歩紐の先端に取り付けられる金属製の輪カンを接続し、散歩紐を連結することができる。
【００２９】
挿通カン部４３を、例えば、ニット編みで編成する場合には、首輪４８の先端を輪状に編成し、くさり編みとこま編みさらには引き抜き編みをした後、Ｄ形状部分一周に引き抜き編みを加えることで、躾がされた小型犬の張力に対しても十分な強度を補強することができる。
【００３０】
着脱部５９は、２の挿通カン部４３の略中間位置に、例えば、ニット編みで編成する場合には、花びら形状の塊を形成するもので、散歩紐を挿通カン部４３に連結しない場合には、挿通カン部４３を折り畳んで引っ掛ければ、超小型犬の動作に邪魔とならない。
【００３１】
第２超小型犬用衣服４０の使用方法は、第１超小型犬用衣服１０と略同様であるから、ここでは説明を省略する。
【００３２】
以上、本発明に係る超小型犬用衣服について、いくつかの好ましい実施形態を説明したが、それを以って本発明を限定するものではなく、この発明の精神を逸脱しない限り、種々の改変を加えることができることはいうまでもない。
【００３３】
例えば、上記実施形態では、超小型犬用衣服の全体をニット編みで編成した場合のみを説明したが、首輪をニット編みとし、他の部分を通常の織布で形成することは可能である。また、伸縮可能素材の代表としてニット編みにより生地を編成する場合を説明したが、機械編みにより生地を編成することができるのはもちろんである。なお、金属製の挿通カン部を首輪に取り付け、散歩紐を通して使用することもできる。
【図面の簡単な説明】
【００３４】
【図１】（ａ）は、本発明に係る第１超小型犬用衣服を示す平面図、（ｂ）は、その底面図である。
【図２】（ａ）は、第１超小型犬用衣服の通常の着用状態を示す説明図、（ｂ）は、第１超小型犬用衣服に散歩紐を取り付けた時の着用状態を示す説明図である。
【図３】（ａ）は、第１超小型犬用衣服の分解状態を示す説明図、（ｂ）は、その縫合状態を示す説明図である。
【図４】（ａ）は、本発明に係る第２超小型犬用衣服を示す平面図、（ｂ）は、その底面図である。
【符号の説明】
【００３５】
１０  第１超小型犬用衣服
１２  前身頃
１４  後身頃
１８  首輪
１８ａ  首輪部材
１８ｂ  首輪部材
２０  首開口部
２１  首襟部
２２  胴包部
２３  挿通カン部
２３ａ  輪体
２３ｂ  輪体
２４  胴開口部
２５  スカート部
２６  足穴部
２７  保持輪
２９  着脱部
３０  散歩紐
４０  第２超小型犬用衣服
４３  挿通カン部
４８  首輪
５０  首開口部
５１  首襟部
５２  胴包部
５４  胴開口部
５５  スカート部
５６  足穴部
５９  着脱部
【図１】
2011217649.tif 000003
【図２】
2011217649.tif 000004
【図３】
2011217649.tif 000005
【図４】
2011217649.tif 000006
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
伸縮可能素材で形成され、散歩紐の挿通カン部を備えた首輪を首周りに一体的に形成した超小型犬用衣服において、前記首輪が首開口部より後方の首根元部の近傍に位置することを特徴とする超小型犬用衣服。
【請求項２】
前記首輪は、２の首輪部材を両側部に有する前身頃を後身頃に縫合した後に、当該首輪部材をそれぞれ後身頃の周部を取り巻くように縫合して形成することを特徴とする請求項１に記載の超小型用衣服。
【請求項３】
前記超小型犬用衣服が、長手方向の上方には首開口部と、中央には胴包部と超小型犬の前足を挿通する足穴部と、下方には胴開口部とからなる略釣鐘形状の袋体であって、首開口部の近傍に弾性素材で形成される輪状の紐体の保持輪を取り付けたことを特徴とする請求項１乃至２のいずれか１に記載の超小型犬用衣服。
【請求項４】
前記超小型犬用衣服が、全体がニット編みで編成された布地であって、前記首輪がゴム編みで編成され、前記挿通カン部がくさり編みとこま編みさらには引き抜き編みを加えて編成され、前記保持輪は、首襟部の網目に交差状に挿通して取り付けられることを特徴とする請求項１乃至３のいずれか１に記載の超小型犬用衣服。
【請求項５】
前記前記挿通カン部がＤ形状である請求項１乃至４のいずれか１に記載の超小型犬用衣服。
【手続補正２】
【補正対象書類名】明細書
【補正対象項目名】全文
【補正方法】変更
【補正の内容】
【発明の詳細な説明】
【技術分野】
【０００１】
この発明は、例えば、チワワやティーカッププードルの超小型犬に主として使用される首輪付き衣服に関する。
【背景技術】
【０００２】
近年のペットブームにより、多くの人々が愛玩犬を飼育するようになり、我が国の住宅事情も相俟って、家の中で飼育できる小型犬、とりわけ超小型犬の人気が高まっている。
【０００３】
また、愛玩犬は家族同様に扱われることが多く、愛玩犬にも衣服を着せ、一緒に散歩することは、飼い主にとって大きな楽しみである。
【０００４】
ここで、従来から愛玩犬用の衣服は種々存在したが、通常の織布、防水布等の素材を裁断して縫製されたものがほとんどであり、伸縮性に欠け、通常の犬にとっても着せ難くかつ着心地が悪いものであるから、超小型犬にはその大きさや体力を考慮すればさらに負担となる可能性がある。
【０００５】
くわえて、愛玩犬を安全に散歩させる場合には、首輪を取付けかつ紐につなぐ必要があるが、通常の首輪を、例えば、ワクチンが済んだばかりの小型犬（一般にパピーと呼ばれる。）に取付けて散歩紐で引っ張ることは、成長期にあるひ弱な身体に極めて好ましくないことは明らかである。
【特許文献１】特開２００６−１８０７２２号公報
【発明の開示】
【発明が解決しようとする課題】
【０００６】
上記の不適切な状況を考慮したこの本発明は、身体にやさしい伸縮可能素材で、首周りに首輪を一体的に形成した超小型犬用衣服を提供することを課題とする。
【課題を解決するための手段】
【０００７】
上記課題を解決するために請求項１に記載された発明は、伸縮可能素材で形成され、散歩紐の挿通カン部を備えた首輪を首周りに一体的に形成した超小型犬用衣服において、前記首輪が首開口部より後方の首根元部の近傍に位置する超小型犬用衣服であることを特徴とする。そして、本発明では、前記首輪は、２の首輪部材を両側部に有する前身頃を後身頃に縫合した後に、当該首輪部材をそれぞれ後身頃の周部を取り巻くように縫合して形成することが好ましい。
【０００８】
また、請求項３に記載された発明は、前記超小型犬用衣服が、長手方向の上方には首開口部と、中央には胴包部と超小型犬の前足を挿通する足穴部と、下方には胴開口部とからなる略釣鐘形状の袋体であって、首開口部の近傍に弾性素材で形成される輪状の紐体の保持輪を取り付けた請求項１に記載の超小型犬用衣服であることを特徴とする。そして、本発明では、全体がニット編みで編成された布地であって、前記首輪がゴム編みで編成され、前記挿通カン部がくさり編みとこま編みさらには引き抜き編みを加えて編成され、前記保持輪は、首襟部の網目に交差状に挿通して取り付けられることが好ましい。さらに、前記挿通カン部をＤ形状とすることもできる。
【発明の効果】
【０００９】
本発明に係る超小型犬用衣服よれば、首輪と衣服が伸縮可能素材で形成され、かつ散歩紐が首根元部の近傍に接続されるので、超小型犬の首には負担がかからない。また、着せ易く、ひ弱な首にもやさしく首輪がフィットし、超小型犬にとって極めて着心地の良いものとなる。さらに、全体をニット編みで編成すれば、可愛らしいデザインを具現し、見栄えの良い超小型犬用衣服を提供できる。
【発明を実施するための最良の形態】
【００１０】
以下、本発明の好ましい実施形態を図面により詳細に説明する。図１において、（ａ）は、本発明に係る第１超小型犬用衣服を示す平面図、（ｂ）は、その底面図である。図２において、（ａ）は、第１超小型犬用衣服の通常の着用状態を示す説明図、（ｂ）は、第１超小型犬用衣服に散歩紐を取り付けた時の着用状態を示す説明図である。図３において、（ａ）は、第１超小型犬用衣服の分解状態を示す説明図、（ｂ）は、その縫合状態を示す説明図である。
【００１１】
第１超小型犬用衣服１０は、超小型犬の中でも成長期にある子犬、幼犬（極めてひ弱な身体）に適したもので、例えば、全体をニット編みで編成した布地からなり、両側に首輪１８（首輪部材１８ａ、１８ｂ）を有する前身頃１２と後身頃１４を縫合して形成される略釣鐘形状の袋体である。縫合された状態の第１超小型犬用衣服１０は、長手方向の上方には超小型犬の首が挿通される首開口部２０と、中央には胴包部２２と、下方には胴開口部２４を形成する。
【００１２】
首開口部２０は、第１超小型犬用衣服１０が徐々に先細となり先端に形成されるが、さらにその周部には、例えば、ニットを花弁状に編み上げたことによる首襟部２１が形成され、超小型犬の首を挿通する際の案内の役割を果たすと共に、首開口部２０を首にやさしくフィットさせることができ、装飾的にも美しいものである。
【００１３】
胴包部２２は、長手方向に捉えてほぼ同一寸法であるが、予め超小型犬の胴回りよりもある程度余裕をもった内径として、着用中の超小型犬の胴部に軽くフィットさせることができる。また、前身頃１２と後身頃１４の両側の一部を縫合しないことで、胴包部２２（着用した際の腹部）には超小型犬の前足を挿通する足穴部２６を形成できる。
【００１４】
胴開口部２４は、末広がりであり、後身頃１４の下方には、例えば、ニットを波型状に編み上げたことによるスカート部２５が取り付けられ、前身頃１２よりやや長寸となることで、着用中の小型犬の背部を保護する役割を果たすと共に、装飾的なデザインを形成する。
【００１５】
首輪１８は、帯状の２の首輪部材１８ａ及び１８ｂを両側部に有する前身頃１２を後身頃１４と縫合した後に、それぞれ後身頃１４を両側から取り巻くように、後身頃１４の周部に取り付けて形成されるもので、首開口部２０よりやや後方の位置、第１超小型犬用衣服１０を着用した超小型犬の首根元部の近傍に位置される。首輪１８をニット編みで編成する場合には、ゴム編みを採用することで、超小型犬の首をやさしくかつ確実に保持することができる。
【００１６】
保持輪２７は、首開口部２０の近傍に、例えば、ゴムシャーリング等の弾性素材で形成される輪状の紐体で、第１超小型犬用衣服１０をニット編みで編成する場合には、首襟部２１の網目に交差状に挿通して取り付けられるもので、その内径を首開口部２０の内径よりやや狭小とすることで、首開口部２０を超小型犬の首に確実に保持する補強的役割を果たす。
【００１７】
挿通カン部２３は、首輪部材１８ａ及び１８ｂの先端に取り付けられる輪体２３ａ及び２３ｂで、首輪１８が第１超小型犬用衣服１０に取り付けられた場合には立ち上がる状態となり、散歩紐３０の先端に取り付けられる金属製の輪カンを接続し、散歩紐３０を連結することができる。挿通カン部２３を、例えば、ニット編みで編成する場合には、首輪１８の先端を輪状に編成し、くさり編みとこま編みさらには引き抜き編みを加えることで、超小型犬の張力に対し十分な強度を備えることができる。
【００１８】
着脱部２９は、２の挿通カン部２３の略中間位置に、例えば、ニット編みで編成する場合には、花びら形状の塊を形成するもので、挿通カン部２３に散歩紐３０を連結しない場合には、挿通カン部２３を折り畳んで引っ掛ければ、超小型犬の動作に邪魔とならない。
【００１９】
第１超小型犬用衣服１０を使用するには、胴開口部２４より超小型犬の頭から被せて、頭を首開口部２０より露出させ、そのまま引っ張って、胴包部２２で胴部を包み、前足を足穴部２６から出せば良い。第１超小型犬用衣服１０は伸縮性に富むので、超小型犬の身体にやさしくフィットし、首輪１８は超小型犬の首を適度に保持する。
【００２０】
そして、室内で超小型犬を遊ばせる場合は、挿通カン部２３を着脱部２９に装着すれば、超小型犬の活動に邪魔にならない。散歩時には外して、立ち上がった挿通カン部２３に散歩紐３０を通し、超小型犬を散歩紐３０でつないで外出できる。
【００２１】
散歩紐３０により超小型犬を引っ張っても、首輪１８には弾力性があるので全体的に張力が分散され、超小型犬の首への負担は軽減される。また、首輪１８は、首根元部の近傍に位置するため、例えば、超小型犬が地面に落ちている食物を食べてようとした等、緊急に散歩紐３０を上方に引っ張った場合であっても、首に曲げようとする強い力がかかることはなく、極めて幼い超小型犬の首にも安全である。
【００２２】
図４において、（ａ）は、本発明に係る第２超小型犬用衣服を示す平面図、（ｂ）は、その底面図である。
【００２３】
第２超小型犬用衣服４０は、超小型犬だけではなく、躾がされた小型犬（例：気管が弱い等で通常の首輪だと喉への負担がかかる犬）にも着用できるようにしたもので、例えば、全体をニット糸で編み上げた略釣鐘形状の袋体からなる。第２超小型犬用衣服４０は、長手方向の上方には超小型犬の首が挿通される首開口部５０と、中央には胴包部５２と、下方には胴開口部５４を形成する。
【００２４】
首開口部５０は、第２超小型犬用衣服４０が徐々に先細となりつつ先端に形成されるが、さらにその周部には、例えば、ニットを花弁状に編み上げたことによる首襟部５１が形成され、超小型犬の首を挿通する際の案内の役割を果たすと共に、首開口部５０を首にやさしくフィットさせることができ、装飾的にも美しいものである。
【００２５】
胴包部５２は、長手方向ではほぼ同一寸法であるが、予め超小型犬の胴回りよりもある程度余裕をもった内径として、着用中の超小型犬の胴部に軽くフィットさせることができる。また、胴包部５２（犬が着用した場合の腹部）には超小型犬の前足を挿通する足穴部５６が形成される。
【００２６】
胴開口部５４は、末広がりであり、後方（犬が着用した場合の背方向）には、例えば、ニットを波型状に編み上げたことによるスカート部５５が取り付けられ、前方よりやや長寸となることで、着用中の超小型犬の背部を保護する役割を果たすと共に、装飾的なデザインを形成する。
【００２７】
首輪４８は、第２超小型犬用衣服４０を着用した超小型犬の首根元部の近傍の位置に、帯状の１の首輪部材を縫合して取り付けられる。首輪４８をニット編みで編成する場合には、ゴム編みを採用することで、超小型犬の首をやさしくかつ確実に保持することができる。
【００２８】
挿通カン部４３は、首輪４８の両端に取り付けられる輪体で、通常の丸形状よりも強度を有するD形状を採用している。首輪４８が第２超小型犬用衣服４０に取り付けられた場合には立ち上がる状態となり、散歩紐の先端に取り付けられる金属製の輪カンを接続し、散歩紐を連結することができる。
【００２９】
挿通カン部４３を、例えば、ニット編みで編成する場合には、首輪４８の先端を輪状に編成し、くさり編みとこま編みさらには引き抜き編みをした後、Ｄ形状部分一周に引き抜き編みを加えることで、躾がされた小型犬の張力に対しても十分な強度を補強することができる。
【００３０】
着脱部５９は、２の挿通カン部４３の略中間位置に、例えば、ニット編みで編成する場合には、花びら形状の塊を形成するもので、散歩紐を挿通カン部４３に連結しない場合には、挿通カン部４３を折り畳んで引っ掛ければ、超小型犬の動作に邪魔とならない。
【００３１】
第２超小型犬用衣服４０の使用方法は、第１超小型犬用衣服１０と略同様であるから、ここでは説明を省略する。
【００３２】
以上、本発明に係る超小型犬用衣服について、いくつかの好ましい実施形態を説明したが、それを以って本発明を限定するものではなく、この発明の精神を逸脱しない限り、種々の改変を加えることができることはいうまでもない。
【００３３】
例えば、上記実施形態では、超小型犬用衣服の全体をニット編みで編成した場合のみを説明したが、首輪をニット編みとし、他の部分を通常の織布で形成することは可能である。
また、伸縮可能素材の代表としてニット編みにより生地を編成する場合を説明したが、機械編みにより生地を編成することができるのはもちろんである。なお、金属製の挿通カン部を首輪に取り付け、散歩紐を通して使用することもできる。
【図面の簡単な説明】
【００３４】
【図１】（ａ）は、本発明に係る第１超小型犬用衣服を示す平面図、（ｂ）は、その底面図である。
【図２】（ａ）は、第１超小型犬用衣服の通常の着用状態を示す説明図、（ｂ）は、第１超小型犬用衣服に散歩紐を取り付けた時の着用状態を示す説明図である。
【図３】（ａ）は、第１超小型犬用衣服の分解状態を示す説明図、（ｂ）は、その縫合状態を示す説明図である。
【図４】（ａ）は、本発明に係る第２超小型犬用衣服を示す平面図、（ｂ）は、その底面図である。
【符号の説明】
【００３５】
１０  第１超小型犬用衣服
１２  前身頃
１４  後身頃
１８  首輪
１８ａ  首輪部材
１８ｂ  首輪部材
２０  首開口部
２１  首襟部
２２  胴包部
２３  挿通カン部
２３ａ  輪体
２３ｂ  輪体
２４  胴開口部
２５  スカート部
２６  足穴部
２７  保持輪
２９  着脱部
３０  散歩紐
４０  第２超小型犬用衣服
４３  挿通カン部
４８  首輪
５０  首開口部
５１  首襟部
５２  胴包部
５４  胴開口部
５５  スカート部
５６  足穴部
５９  着脱部
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
伸縮可能素材で形成され、散歩紐の挿通カン部を備えた首輪を首周りに一体的に形成した超小型犬用衣服において、前記首輪が首開口部より後方の首根元部の近傍に位置することを特徴とする超小型犬用衣服。    
【請求項２】
前記首輪は、２の首輪部材を両側部に有する前身頃を後身頃に縫合した後に、当該首輪部材をそれぞれ後身頃の周部を取り巻くように縫合して形成することを特徴とする請求項１に記載の超小型用衣服。    
【請求項３】
前記超小型犬用衣服が、長手方向の上方には首開口部と、中央には胴包部と超小型犬の前足を挿通する足穴部と、下方には胴開口部とからなる略釣鐘形状の袋体であって、首開口部の近傍に弾性素材で形成される輪状の紐体の保持輪を取り付けたことを特徴とする請求項１乃至２のいずれか１に記載の超小型犬用衣服。    
【請求項４】
前記超小型犬用衣服が、全体がニット編みで編成された布地であって、前記首輪がゴム編みで編成され、前記挿通カン部がくさり編みとこま編みさらには引き抜き編みを加えて編成され、前記保持輪は、首襟部の網目に交差状に挿通して取り付けられることを特徴とする請求項３に記載の超小型犬用衣服。
【請求項５】
前記挿通カン部がＤ形状である請求項１乃至４のいずれか１に記載の超小型犬用衣服。 
【手続補正２】
【補正対象書類名】明細書
【補正対象項目名】全文
【補正方法】変更
【補正の内容】
【発明の詳細な説明】
【技術分野】
【０００１】
この発明は、例えば、チワワやティーカッププードルの超小型犬に主として使用される首輪付き衣服に関する。    
【背景技術】
【０００２】
近年のペットブームにより、多くの人々が愛玩犬を飼育するようになり、我が国の住宅事情も相俟って、家の中で飼育できる小型犬、とりわけ超小型犬の人気が高まっている。    
【０００３】
また、愛玩犬は家族同様に扱われることが多く、愛玩犬にも衣服を着せ、一緒に散歩することは、飼い主にとって大きな楽しみである。    
【０００４】
ここで、従来から愛玩犬用の衣服は種々存在したが、通常の織布、防水布等の素材を裁断して縫製されたものがほとんどであり、伸縮性に欠け、通常の犬にとっても着せ難くかつ着心地が悪いものであるから、超小型犬にはその大きさや体力を考慮すればさらに負担となる可能性がある。    
【０００５】
くわえて、愛玩犬を安全に散歩させる場合には、首輪を取付けかつ紐につなぐ必要があるが、通常の首輪を、例えば、ワクチンが済んだばかりの小型犬（一般にパピーと呼ばれる。）に取付けて散歩紐で引っ張ることは、成長期にあるひ弱な身体に極めて好ましくないことは明らかである。    
【特許文献１】特開２００６−１８０７２２号公報
【発明の開示】
【発明が解決しようとする課題】
【０００６】
上記の不適切な状況を考慮したこの本発明は、身体にやさしい伸縮可能素材で、首周りに首輪を一体的に形成した超小型犬用衣服を提供することを課題とする。    
【課題を解決するための手段】
【０００７】
上記課題を解決するために請求項１に記載された発明は、伸縮可能素材で形成され、散歩紐の挿通カン部を備えた首輪を首周りに一体的に形成した超小型犬用衣服において、前記首輪が首開口部より後方の首根元部の近傍に位置する超小型犬用衣服であることを特徴とする。そして、本発明では、前記首輪は、２の首輪部材を両側部に有する前身頃を後身頃に縫合した後に、当該首輪部材をそれぞれ後身頃の周部を取り巻くように縫合して形成することが好ましい。    
【０００８】
また、請求項３に記載された発明は、前記超小型犬用衣服が、長手方向の上方には首開口部と、中央には胴包部と超小型犬の前足を挿通する足穴部と、下方には胴開口部とからなる略釣鐘形状の袋体であって、首開口部の近傍に弾性素材で形成される輪状の紐体の保持輪を取り付けた請求項１に記載の超小型犬用衣服であることを特徴とする。そして、本発明では、全体がニット編みで編成された布地であって、前記首輪がゴム編みで編成され、前記挿通カン部がくさり編みとこま編みさらには引き抜き編みを加えて編成され、前記保持輪は、首襟部の網目に交差状に挿通して取り付けられることが好ましい。さらに、前記挿通カン部をＤ形状とすることもできる。    
【発明の効果】
【０００９】
本発明に係る超小型犬用衣服よれば、首輪と衣服が伸縮可能素材で形成され、かつ散歩紐が首根元部の近傍に接続されるので、超小型犬の首には負担がかからない。また、着せ易く、ひ弱な首にもやさしく首輪がフィットし、超小型犬にとって極めて着心地の良いものとなる。さらに、全体をニット編みで編成すれば、可愛らしいデザインを具現し、見栄えの良い超小型犬用衣服を提供できる。    
【発明を実施するための最良の形態】
【００１０】
以下、本発明の好ましい実施形態を図面により詳細に説明する。図１において、（ａ）は、本発明に係る第１超小型犬用衣服を示す平面図、（ｂ）は、その底面図である。図２において、（ａ）は、第１超小型犬用衣服の通常の着用状態を示す説明図、（ｂ）は、第１超小型犬用衣服に散歩紐を取り付けた時の着用状態を示す説明図である。図３において、（ａ）は、第１超小型犬用衣服の分解状態を示す説明図、（ｂ）は、その縫合状態を示す説明図である。    
【００１１】
第１超小型犬用衣服１０は、超小型犬の中でも成長期にある子犬、幼犬（極めてひ弱な身体）に適したもので、例えば、全体をニット編みで編成した布地からなり、両側に首輪１８（首輪部材１８ａ、１８ｂ）を有する前身頃１２と後身頃１４を縫合して形成される略釣鐘形状の袋体である。縫合された状態の第１超小型犬用衣服１０は、長手方向の上方には超小型犬の首が挿通される首開口部２０と、中央には胴包部２２と、下方には胴開口部２４を形成する。    
【００１２】
首開口部２０は、第１超小型犬用衣服１０が徐々に先細となり先端に形成されるが、さらにその周部には、例えば、ニットを花弁状に編み上げたことによる首襟部２１が形成され、超小型犬の首を挿通する際の案内の役割を果たすと共に、首開口部２０を首にやさしくフィットさせることができ、装飾的にも美しいものである。    
【００１３】
胴包部２２は、長手方向に捉えてほぼ同一寸法であるが、予め超小型犬の胴回りよりもある程度余裕をもった内径として、着用中の超小型犬の胴部に軽くフィットさせることができる。また、前身頃１２と後身頃１４の両側の一部を縫合しないことで、胴包部２２（着用した際の腹部）には超小型犬の前足を挿通する足穴部２６を形成できる。    
【００１４】
胴開口部２４は、末広がりであり、後身頃１４の下方には、例えば、ニットを波型状に編み上げたことによるスカート部２５が取り付けられ、前身頃１２よりやや長寸となることで、着用中の小型犬の背部を保護する役割を果たすと共に、装飾的なデザインを形成する。    
【００１５】
首輪１８は、帯状の２の首輪部材１８ａ及び１８ｂを両側部に有する前身頃１２を後身頃１４と縫合した後に、それぞれ後身頃１４を両側から取り巻くように、後身頃１４の周部に取り付けて形成されるもので、首開口部２０よりやや後方の位置、第１超小型犬用衣服１０を着用した超小型犬の首根元部の近傍に位置される。首輪１８をニット編みで編成する場合には、ゴム編みを採用することで、超小型犬の首をやさしくかつ確実に保持することができる。    
【００１６】
保持輪２７は、首開口部２０の近傍に、例えば、ゴムシャーリング等の弾性素材で形成される輪状の紐体で、第１超小型犬用衣服１０をニット編みで編成する場合には、首襟部２１の網目に交差状に挿通して取り付けられるもので、その内径を首開口部２０の内径よりやや狭小とすることで、首開口部２０を超小型犬の首に確実に保持する補強的役割を果たす。    
【００１７】
挿通カン部２３は、首輪部材１８ａ及び１８ｂの先端に取り付けられる輪体２３ａ及び２３ｂで、首輪１８が第１超小型犬用衣服１０に取り付けられた場合には立ち上がる状態となり、散歩紐３０の先端に取り付けられる金属製の輪カンを接続し、散歩紐３０を連結することができる。挿通カン部２３を、例えば、ニット編みで編成する場合には、首輪１８の先端を輪状に編成し、くさり編みとこま編みさらには引き抜き編みを加えることで、超小型犬の張力に対し十分な強度を備えることができる。    
【００１８】
着脱部２９は、２の挿通カン部２３の略中間位置に、例えば、ニット編みで編成する場合には、花びら形状の塊を形成するもので、挿通カン部２３に散歩紐３０を連結しない場合には、挿通カン部２３を折り畳んで引っ掛ければ、超小型犬の動作に邪魔とならない。    
【００１９】
第１超小型犬用衣服１０を使用するには、胴開口部２４より超小型犬の頭から被せて、頭を首開口部２０より露出させ、そのまま引っ張って、胴包部２２で胴部を包み、前足を足穴部２６から出せば良い。第１超小型犬用衣服１０は伸縮性に富むので、超小型犬の身体にやさしくフィットし、首輪１８は超小型犬の首を適度に保持する。    
【００２０】
そして、室内で超小型犬を遊ばせる場合は、挿通カン部２３を着脱部２９に装着すれば、超小型犬の活動に邪魔にならない。散歩時には外して、立ち上がった挿通カン部２３に散歩紐３０を通し、超小型犬を散歩紐３０でつないで外出できる。    
【００２１】
散歩紐３０により超小型犬を引っ張っても、首輪１８には弾力性があるので全体的に張力が分散され、超小型犬の首への負担は軽減される。また、首輪１８は、首根元部の近傍に位置するため、例えば、超小型犬が地面に落ちている食物を食べてようとした等、緊急に散歩紐３０を上方に引っ張った場合であっても、首に曲げようとする強い力がかかることはなく、極めて幼い超小型犬の首にも安全である。    
【００２２】
図４において、（ａ）は、本発明に係る第２超小型犬用衣服を示す平面図、（ｂ）は、その底面図である。    
【００２３】
第２超小型犬用衣服４０は、超小型犬だけではなく、躾がされた小型犬（例：気管が弱い等で通常の首輪だと喉への負担がかかる犬）にも着用できるようにしたもので、例えば、全体をニット糸で編み上げた略釣鐘形状の袋体からなる。第２超小型犬用衣服４０は、長手方向の上方には超小型犬の首が挿通される首開口部５０と、中央には胴包部５２と、下方には胴開口部５４を形成する。    
【００２４】
首開口部５０は、第２超小型犬用衣服４０が徐々に先細となりつつ先端に形成されるが、さらにその周部には、例えば、ニットを花弁状に編み上げたことによる首襟部５１が形成され、超小型犬の首を挿通する際の案内の役割を果たすと共に、首開口部５０を首にやさしくフィットさせることができ、装飾的にも美しいものである。    
【００２５】
胴包部５２は、長手方向ではほぼ同一寸法であるが、予め超小型犬の胴回りよりもある程度余裕をもった内径として、着用中の超小型犬の胴部に軽くフィットさせることができる。また、胴包部５２（犬が着用した場合の腹部）には超小型犬の前足を挿通する足穴部５６が形成される。    
【００２６】
胴開口部５４は、末広がりであり、後方（犬が着用した場合の背方向）には、例えば、ニットを波型状に編み上げたことによるスカート部５５が取り付けられ、前方よりやや長寸となることで、着用中の超小型犬の背部を保護する役割を果たすと共に、装飾的なデザインを形成する。    
【００２７】
首輪４８は、第２超小型犬用衣服４０を着用した超小型犬の首根元部の近傍の位置に、帯状の１の首輪部材を縫合して取り付けられる。首輪４８をニット編みで編成する場合には、ゴム編みを採用することで、超小型犬の首をやさしくかつ確実に保持することができる。    
【００２８】
挿通カン部４３は、首輪４８の両端に取り付けられる輪体で、通常の丸形状よりも強度を有するD形状を採用している。首輪４８が第２超小型犬用衣服４０に取り付けられた場合には立ち上がる状態となり、散歩紐の先端に取り付けられる金属製の輪カンを接続し、散歩紐を連結することができる。    
【００２９】
挿通カン部４３を、例えば、ニット編みで編成する場合には、首輪４８の先端を輪状に編成し、くさり編みとこま編みさらには引き抜き編みをした後、Ｄ形状部分一周に引き抜き編みを加えることで、躾がされた小型犬の張力に対しても十分な強度を補強することができる。    
【００３０】
着脱部５９は、２の挿通カン部４３の略中間位置に、例えば、ニット編みで編成する場合には、花びら形状の塊を形成するもので、散歩紐を挿通カン部４３に連結しない場合には、挿通カン部４３を折り畳んで引っ掛ければ、超小型犬の動作に邪魔とならない。    
【００３１】
第２超小型犬用衣服４０の使用方法は、第１超小型犬用衣服１０と略同様であるから、ここでは説明を省略する。    
【００３２】
以上、本発明に係る超小型犬用衣服について、いくつかの好ましい実施形態を説明したが、それを以って本発明を限定するものではなく、この発明の精神を逸脱しない限り、種々の改変を加えることができることはいうまでもない。    
【００３３】
例えば、上記実施形態では、超小型犬用衣服の全体をニット編みで編成した場合のみを説明したが、首輪をニット編みとし、他の部分を通常の織布で形成することは可能である。また、伸縮可能素材の代表としてニット編みにより生地を編成する場合を説明したが、機械編みにより生地を編成することができるのはもちろんである。なお、金属製の挿通カン部を首輪に取り付け、散歩紐を通して使用することもできる。
【図面の簡単な説明】
【００３４】
【図１】（ａ）は、本発明に係る第１超小型犬用衣服を示す平面図、（ｂ）は、その底面図である。
【図２】（ａ）は、第１超小型犬用衣服の通常の着用状態を示す説明図、（ｂ）は、第１超小型犬用衣服に散歩紐を取り付けた時の着用状態を示す説明図である。
【図３】（ａ）は、第１超小型犬用衣服の分解状態を示す説明図、（ｂ）は、その縫合状態を示す説明図である。
【図４】（ａ）は、本発明に係る第２超小型犬用衣服を示す平面図、（ｂ）は、その底面図である。
【符号の説明】
【００３５】
１０  第１超小型犬用衣服
１２  前身頃
１４  後身頃
１８  首輪
１８ａ  首輪部材
１８ｂ  首輪部材
２０  首開口部
２１  首襟部
２２  胴包部
２３  挿通カン部
２３ａ  輪体
２３ｂ  輪体
２４  胴開口部
２５  スカート部
２６  足穴部
２７  保持輪
２９  着脱部
３０  散歩紐
４０  第２超小型犬用衣服
４３  挿通カン部
４８  首輪
５０  首開口部
５１  首襟部
５２  胴包部
５４  胴開口部
５５  スカート部
５６  足穴部
５９  着脱部
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
伸縮可能素材で形成され、散歩紐の挿通カン部を備えた首輪を首周りに一体的に形成した超小型犬用衣服において、前記首輪が首開口部より後方の首根元部の近傍に位置することを特徴とする超小型犬用衣服。
【請求項２】
前記首輪は、２の首輪部材を両側部に有する前身頃を後身頃に縫合した後に、当該首輪部材をそれぞれ後身頃の周部を取り巻くように縫合して形成することを特徴とする請求項１に記載の超小型犬用衣服
【請求項３】
前記超小型犬用衣服が、長手方向の上方には首開口部と、中央には胴包部と超小型犬の前足を挿通する足穴部と、下方には胴開口部とからなる略釣鐘形状の袋体であって、首開口部の近傍に弾性素材で形成される輪状の紐体の保持輪を取り付けたことを特徴とする請求項１乃至２のいずれか１に記載の超小型犬用衣服。
【請求項４】
前記超小型犬用衣服が、全体がニット編みで編成された布地であって、前記首輪がゴム編みで編成され、前記挿通カン部がくさり編みとこま編みさらには引き抜き編みを加えて編成され、前記保持輪は、首襟部の網目に交差状に挿通して取り付けられることを特徴とする請求項３に記載の超小型犬用衣服。
【請求項５】
前記挿通カン部がＤ形状である請求項１乃至４のいずれか１に記載の超小型犬用衣服。